(57)【要約】【課題】各種機器のオンオフを任意のタイミングでハンズフリーで行うことができる電動ファン付き呼吸用保護具を提供する。【解決手段】呼吸用保護具１Ａは、人体の少なくとも鼻及び口を覆うように装着される面体１１及び面体内部に空気を送気する電動ファンを備えたマスク本体部１０と、装着者の呼吸の状態の変化に依存して変化する面体１１の内部における内圧の変化を検知するフォトインタラプタ４０を有する圧力検知部と、圧力検知部における、内圧の検知に基づいて、予め設定された、拡声器等の動作状態の切り替え制御を行う制御部３９とを備え、制御部３９は、圧力検知部において、装着者の呼吸に伴って、内圧が時間方向及び／又は圧力方向に所定のパターンで変化したことを検知したときに、拡声器等のオンオフ等の切り替え制御を行う。【選択図】図３
2015163090.tif 000002
【特許請求の範囲】
【請求項１】
人体の少なくとも鼻及び口を覆うように装着される面体及び前記面体内部に空気を送気する電動ファンを備えた本体部と、
装着者の呼吸の状態の変化に依存して変化する前記面体の内部における内圧の変化を検知する圧力検知手段と、
前記圧力検知手段における、前記内圧の検知に基づいて、予め設定された被制御対象の動作状態の切り替え制御を行う動作制御手段とを備え、
該動作制御手段は、前記圧力検知手段において、前記装着者の呼吸に伴って、前記内圧が時間方向及び／又は圧力方向に所定のパターンで変化したことを検知したときに、前記被制御対象の前記切り替え制御を行うことを特徴とする電動ファン付き呼吸用保護具。
【請求項２】
前記動作制御手段は、前記装着者の呼吸に伴って、所定の時間帯において前記内圧の所定の変化が複数回生じたことが前記圧力検知手段において検知された場合に、前記被制御対象の前記切り替え制御を行うことを特徴とする請求項１に記載の電動ファン付き呼吸用保護具。
【請求項３】
前記動作制御手段は、前記所定の時間帯において、前記内圧の上限しきい値と下限しきい値とを設定し、前記内圧が、前記上限しきい値よりも高い値となった後に前記下限しきい値よりも低い値となる変化、又は、前記下限しきい値よりも低い値となった後に前記上限しきい値よりも高い値となる変化、を前記動作制御手段が検知したときに、前記被制御対象の切り替え制御を行うことを特徴とする請求項１又は２に記載の電動ファン付き呼吸用保護具。
【請求項４】
前記圧力検知手段は、前記面体の一部に設けられた通気用の弁体の開閉状態によって前記面体の前記内圧を検知する位置センサであることを特徴とする請求項１乃至３の何れか一つに記載の電動ファン付き呼吸用保護具。
【請求項５】
前記被制御対象は、前記面体の一部に設けられた拡声器であって、前記動作制御手段は前記拡声器のオンオフ制御を行うことを特徴とする請求項１乃至４の何れか一つに記載の電動ファン付き呼吸用保護具。
【発明の詳細な説明】
【技術分野】
【０００１】
本発明は、防塵・防毒用の全面形マスク、半面形マスク等において、電動ファンによって面体内の吸気や排気を補助する構成を有する呼吸用保護具に関する。
【背景技術】
【０００２】
従来、溶接や石材加工の現場等において浮遊する人体に有害な粉塵や、有害ガス等が浮遊する作業環境においては、作業者がそれらを吸気して健康被害を被ることを防ぐことが必要になる。そのため、従来、このような作業者を健康被害から守るために、各種の防塵マスクや防毒マスクが用いられる。この防塵マスクや防毒マスクは、装着者の顔面全面や、鼻と口の部分の周囲を面体で覆い、面体の周縁部分を顔面に密着させて装着させる。通常これらのマスクの吸気部には活性炭等の濾過材が設けられるので、吸気抵抗が大きくなる。そこで、吸気部の濾過剤の前側又は後側に電動ファンを設け、ファンの送気力（吸引力）を利用して呼吸を補助する構成が知られている。一方、これらのマスクは少なくとも鼻と口の部分が面体で覆われており、装着者の発話音声が面体内部にこもって周囲の人に聴き取り難くなる問題がある。そこで、従来、マスク本体部に電気式の拡声器を装着して装着者の発話を明瞭に外部に伝達させる構成が知られている。また、この構成に、装着者の呼吸状態を検出するための構成をさらに設け、装着者が息を吐いている時に拡声器をオンにする構成が知られている（例えば、特許文献１参照）。
【先行技術文献】
【特許文献】
【０００３】
【特許文献１】特開２０１３−１７２７７９号公報
【発明の概要】
【発明が解決しようとする課題】
【０００４】
しかし、上記特許文献１に記載の発明は、装着者が息を吐いているか否かで拡声器のオンオフを制御するので、拡声器の音が耳触りで、拡声器をオフにしたい場合でも、オフにすることができない。また、電動ファン付きマスクにおいて、電動ファンのオンオフもハンズフリーで行いたい場合もあるが、上記特許文献１に記載の発明においては、装着者が息を吐いているか否かの検出状態のみで制御を行うため、電動ファンのオンオフと拡声器のオンオフには併用できないという問題がある。また、マスクの使用者が、拡声器以外の各種電動機器や電気機器の制御をハンズフリーで行う需要も潜在的に存在しうるが、上記特許文献１に記載の発明は、マスクに装着された拡声器の使用態様のみを考慮して制御する構成なので、拡声器のオンオフ制御以外への応用が難しいという問題がある。
【０００５】
本発明はこのような問題に鑑みてなされたものであり、拡声器等、各種機器のオンオフを任意のタイミングでハンズフリーで行うことができる電動ファン付き呼吸用保護具を提供することを課題としている。
【課題を解決するための手段】
【０００６】
かかる課題を達成するために、この発明が特徴とするのは、人体の少なくとも鼻及び口を覆うように装着される面体及び前記面体内部に空気を送気する電動ファンを備えた本体部と、装着者の呼吸の状態の変化に依存して変化する前記面体の内部における内圧の変化を検知する圧力検知手段と、前記圧力検知手段における、前記内圧の検知に基づいて、予め設定された被制御対象の動作状態の切り替え制御を行う動作制御手段とを備え、該動作制御手段は、前記圧力検知手段において、前記装着者の呼吸に伴って、前記内圧が時間方向及び／又は圧力方向に所定のパターンで変化したことを検知したときに、前記被制御対象の前記切り替え制御を行うように構成されたことである。
【０００７】
この発明の好ましい実施形態の一つにおいて、前記動作制御手段は、前記装着者の呼吸に伴って、所定の時間帯において前記内圧の所定の変化が複数回生じたことが前記圧力検知手段において検知された場合に、前記被制御対象の前記切り替え制御を行うように構成されていることである。
【０００８】
この発明の好ましい実施形態の更に他の一つにおいて、前記動作制御手段は、前記所定の時間帯において、前記内圧の上限しきい値と下限しきい値とを設定し、前記内圧が、前記上限しきい値よりも高い値となった後に前記下限しきい値よりも低い値となる変化、又は、前記下限しきい値よりも低い値となった後に前記上限しきい値よりも高い値となる変化、を前記動作制御手段が検知したときに、前記被制御対象の切り替え制御を行うように構成されていることである。
【０００９】
この発明の好ましい実施形態の更に他の一つにおいて、前記圧力検知手段は、前記面体の一部に設けられた通気用の弁体の開閉状態によって前記面体の前記内圧を検知する位置センサである。
【００１０】
この発明の好ましい実施形態の更に他の一つにおいて、前記被制御対象は、前記面体の一部に設けられた拡声器であって、前記動作制御手段は前記拡声器のオンオフ制御を行うように構成されていることである。
【発明の効果】
【００１１】
この発明に係る電動ファン付き呼吸用保護具では、圧力検知手段が、面体の内部の内圧が、時間方向及び／又は圧力方向への所定のパターンで変化したことを検知したときに、動作制御手段が、被制御対象の動作状態の切り替え制御を行うことにより、装着者が所定のパターンの呼吸を行えば、それによって被制御対象の動作の切り替えが可能になる。即ち、装着者は、マスク本体部を顔に装着した状態で、手でスイッチの操作等を行うことなく、一又は複数の被制御対象の、一又は複数の動作状態を制御できる。これにより、拡声器等、各種機器のオンオフを任意のタイミングでハンズフリーで行うことができる。
【００１２】
また、動作制御手段は、所定の時間帯において内圧の所定の変化が複数回生じたことが検知された場合に、被制御対象の切り替え制御を行うことにより、装着者が短時間内に吐気や吸気を複数回、所定のパターンで行えば被制御対象の動作の切り替えを行うことができる。また、呼気と吐気の回数や間隔を変えることで、複数の被制御対象や、複数の動作状態の切り替えを、装着者の呼吸によって簡易かつ確実に行うことができる。
【００１３】
また、動作制御手段は、内圧が、上限しきい値よりも高い値となった後に下限しきい値よりも低い値となる変化、又は、下限しきい値よりも低い値となった後に上限しきい値よりも高い値となる変化、を圧力検知手段が検知したときに、被制御対象の切り替え制御を行うことにより、内圧が上限しきい値と下限しきい値よりも大きく変動したときに被制御対象の動作状態を切り替えることとなる。即ち、装着者の吐気や呼気によって面体の内圧が大きく変化したときにのみ被制御対象の動作状態を切り替える。これにより、装着者の呼吸による被制御対象の切り替え制御を、誤操作を防止しつつ、確実に行うことができる。
【００１４】
また、圧力検知手段は、面体の一部に設けられた通気用の弁体の開閉状態によって面体の内圧を検知する位置センサであることにより、圧力検知手段を、長寿命、低コストで、高精度の圧力検知を行えるものとして構成できる。特に、面体の内部の内圧の変化を忠実に反映する形状や材質で弁体を構成することで、圧力検知を一層高精度に行うことが可能となる。
【００１５】
また、少なくとも装着者の鼻と口部分を密閉する呼吸用保護具において、装着者が、所望の時間帯に拡声器のオン状態を持続させ、電力の浪費を防止しつつ装着者の希望の時間帯において拡声器をオン状態として装着者が円滑に他の作業者等と会話による意志伝達を行うことができる。
【図面の簡単な説明】
【００１６】
【図１】この発明の実施の形態に係る電動ファン付き呼吸用保護具の正面図である。
【図２】同上の使い捨てマスクの電動ファン付き呼吸用保護具の濾過部を取り外した状態の斜視図である。
【図３】同上の電動ファン付き呼吸用保護具のＡ−Ａ断面図である。
【図４】同上の電動ファン付き呼吸用保護具の、面体の内圧の検知を行う排気弁の部分の拡大図である。
【図５】同上の電動ファン付き呼吸用保護具の圧力検知、動作状態の切り替えの機能ブロック図である。
【図６】同上の電動ファン付き呼吸用保護具の、圧力検知部における面体の内圧の検知状態を模式的に示す図である。
【図７】同上の電動ファン付き呼吸用保護具の、制御部における、面体の内圧の検知状態に基づく制御の原理を模式的に示す図である。
【発明を実施するための形態】
【００１７】
図１乃至図７に、この発明の実施の形態を示す。
【００１８】
まず構成を説明すると、図１に示す、この実施の形態の、電動ファン付き呼吸用保護具（Powered Air Purifying Respirators）としての呼吸用保護具１Ａは、事業場その他で空気中に浮遊する人体に有害な粒子状物質（粉塵、ヒューム、ミストなど）が浮遊する作業現場で各種作業に従事する作業者の呼吸保護のために用いられるものである。具体的には、ＪＩＳ  Ｔ  ８１５７：２００９（平成２１年３月２５日改正）において「呼吸補助型ＰＡＰＲ」として規定されている、電動ファンによって面体内部に強制送気するタイプの呼吸用保護具である。この実施の形態の呼吸用保護具１Ａは、装着者の顔面略全面を覆う、いわゆる全面型マスクであるが、装着者の鼻と口の部分のみを覆う、いわゆる半面型マスクであってもよい。また、呼吸用保護具１Ａは、フード型の防護服と共に用いるタイプ（例えば防護服の一部として構成されているもの等）であってもよい。
【００１９】
図１に示す通り、この呼吸用保護具１Ａは、マスク本体部１０に、面体１１と吸排気ユニット１２とを有する。
【００２０】
面体１１は、装着者の顔面略全面を覆う態様に構成されている。この面体１１の前面には、装着者の両眼の前方に配設される、硬質の透明樹脂や透明の強化ガラス等にて形成されたアイピース１３を備える。アイピース１３の周縁部分は、硬質の合成樹脂等で形成された枠型のフレーム１４にはめ込まれている。このフレーム１４には、軟質の樹脂例えばシリコーンゴム等によって形成された接顔部１５が設けられている。この接顔部１５は、装着者の顔面部分の起伏に沿って起伏を設けた形状に形成され、上側が装着者の顔面の額部分に、側面部分が顔面の頬部分に、下側が口元部分から顎部分にかけて密着するように構成されている。これにより、面体１１を装着者の顔面に装着すると、接顔部１５の周縁部略全域が装着者の顔面周縁部に密着し、装着者の顔面を面体１１の内部に密閉した状態とすることができる。
【００２１】
面体１１の内側の、アイピースの下方に位置する部分には、軟質の樹脂例えばシリコーンゴム等によって形成されたノーズカップ１６が設けられている。このノーズカップ１６は、装着者の顔面方向に向けて開口した略椀型に形成され、装着者の顔面に装着したときに、装着者の鼻と口を覆い、周縁部分が装着者の鼻と口の周囲に密着するように形成されている。
【００２２】
面体１１の接顔部１５には、４片の取付片１７が突設されている。この取付片１７には、合成ゴム等の弾性体によって形成された締め紐１８がそれぞれ取り付けられる。この締め紐１８を装着者の側頭部から後頭部に取り付けることで、マスク本体部１０は装着者の顔面に装着される。
【００２３】
ノーズカップ１６の上側には、一対の開口部１９，１９が形成される。それぞれの開口部１９には吸気弁２０が配設されている。図３に示す通り、この吸気弁２０は、開口部１９近傍の弁座２１に、シリコーンゴム、天然ゴム等、気密性を有する材質にて形成された弁体２２が開閉自在に配設されている。この吸気弁２０は、ノーズカップ１６の外側方向から内側方向へのみ空気を送気させる一方向弁として機能する。
【００２４】
図２に示す通り、面体１１の側方には、硬質の樹脂等によって形成された略円筒形のホルダ２３が設けられている。このホルダ２３には、「被制御対象」としての拡声器２４が設けられる。この拡声器２４は、装着者が、呼吸用保護具１Ａを装着した状態で発話した音声を外部に伝達させるための機器であり、電気増幅器やスピーカ等を備えている。
【００２５】
図２に示す通り、面体１１の前側下方には、吸排気ユニット１２が取り付けられている。この吸排気ユニット１２は、面体１１に対して着脱可能に設けられている。
【００２６】
吸排気ユニット１２は、吸排気ユニット本体部２６と、濾過部２５とを備えている。図２に示す通り、吸排気ユニット本体部２６と濾過部２５とは着脱自在に構成されている。
【００２７】
濾過部２５は、硬質の樹脂等によって略円筒形に形成され、前面に開口部２７を有する。濾過部２５の内部には、活性炭等の濾過剤（図示せず）が充填されている。開口部２７の前方から吸気された空気は、この濾過剤（図示せず）において粒子状物質が濾過されて、後方（吸排気ユニット本体部２６の内部）へ流出する。
【００２８】
吸排気ユニット本体部２６は、硬質の樹脂等によって略円筒形に形成されている。吸排気ユニット本体部２６は、面体１１の前面に設けられた着脱バー２８をスライドさせることにより、面体１１への固着や離脱を自在に行うことができる。
【００２９】
図２に示すように、吸排気ユニット本体部２６の前面部には、開口部２９が形成されている。この開口部２９から、濾過部２５を通過した空気が吸排気ユニット本体部２６の内部に吸入される。
【００３０】
この開口部２９の後方には、図３に示す、電動ファン３０ａが設けられている。この電動ファン３０ａは、ファン３０とモータ３１とからなり、ファン３０の回転により、吸排気ユニット１２から面体１１の内部に強制的に吸気される。これにより、装着者の吸気時の吸気抵抗を減らして呼吸しやすくすると共に、面体内部を陽圧に保って、接顔部１５と装着者の顔面の隙間から面体１１の内部に粉塵等が侵入することを防止できる。
【００３１】
また、電動ファン３０ａの後側には、バッテリ３２が配設されている。このバッテリ３２は、鉛蓄電池、リチウムイオン電池等の各種蓄電池であり、拡声器２４の作動や電動ファン３０ａの駆動に必要な電力を供給する。
【００３２】
図３に示す通り、吸排気ユニット本体部２６の、開口部２９から電動ファン３０ａの配設位置を経て、バッテリ３２の上方側には吸気路３３が形成され、バッテリ３２の下方側には排気路３４が形成されている。吸気路３３は（装着者の吸気により）面体１１の内部に流入する空気の流路を形成し、排気路３４は（装着者の吐気により）面体１１から排出された空気の流路を形成する。
【００３３】
図３に示す通り、排気路３４には排気弁３５が配設されている。この排気弁３５は、吸排気ユニット本体部２６の一部により形成された弁座３６と、シリコーンゴム、天然ゴム等、気密性を有する材質にて形成された、通気用の弁体が開閉自在に配設されている。この排気弁３５は、吸排気ユニット本体部２６の内側方向から外側方向へのみ空気を送気させる一方向弁として機能する。
【００３４】
なお、この実施の形態における弁体３７は、装着者の息を吐く強さに略比例して開閉の度合いが変化するような材質、形状に形成されている。具体的には、例えば、図４に示す通り、排気弁３５を構成する弁体３７の周縁部には、他の部分よりも肉厚のリブ３７ａが設けられている。これにより、弁体３７が単なる板状の形状に形成した場合よりも、（排気時の気圧により排気弁３５が開いて）弁体３７が湾曲した状態から元の平板状態に戻ろうとする力が強く働き、後述するダブルクリック呼吸における吐気のような素早い圧力変化を弁体３７の形状変化として容易に検知することが可能となる。
【００３５】
排気弁３５の近傍であって、吸排気ユニット本体部２６の下側には、排気口３８が開口形成されている。この排気口３８からは、（装着者の吐気により）面体１１から排出された空気が排出される。
【００３６】
図３に示す通り、排気弁３５の近傍に位置して、吸排気ユニット本体部２６の内部には、「動作制御手段」としての制御部３９が設けられている。この制御部３９は、例えば集積回路（Integrated Circuit）であり、各種の命令に基づいて入力された信号の処理や、接続された各種機器の制御（オンオフ制御等）を行う。
【００３７】
図３に示す通り、吸排気ユニット本体部２６の内部において、排気弁３５の近傍にはフォトインタラプタ４０が設けられている。図５に示す通り、このフォトインタラプタ４０は、信号検知部４２と共に、「圧力検知手段」としての圧力検知部４１を形成する。
【００３８】
フォトインタラプタ４０は、位置センサであって、発光部の発する光を弁体３７表面に反射させ、反射光の状態を受光部で検出することで、弁体３７の開閉の度合いを検知する。
【００３９】
図５に示す、圧力検知部４１を形成する信号検知部４２は、フォトインタラプタ４０の検知した信号の増幅や、信号の量子化（例えば、図６に示すような微少時間単位でサンプリングされた信号を、図７に示すような平滑化された信号に変換すること）等を行う。そして、圧力検知部４１が検知した検知信号は、制御部３９に入力され、この入力信号により、拡声器２４や電動ファン３０ａのオンオフ制御を行う。
【００４０】
ここで、この実施の形態の呼吸用保護具１Ａにおける、拡声器２４等のオンオフ制御の手順を説明する。
【００４１】
この実施の形態の呼吸用保護具１Ａにおいて、制御部３９は、圧力検知部４１において、装着者の呼吸に伴って、面体１１の内圧が時間方向及び／又は圧力方向に所定のパターンで変化したことを検知したときに、拡声器２４等のオンオフの切り替え制御を行う。つまり、装着者が、所定の、信号となる特定の呼吸を行ったことを検知した場合に、制御部３９は拡声器２４等のオンオフの切り替え制御を行う。
【００４２】
ここでは、装着者の呼吸に伴って、所定の時間帯において面体１１の内圧の所定の変化が複数回生じたことが圧力検知部４１において検知された場合に、拡声器２４等のオンオフの切り替え制御を行う。即ち、装着者が、息を吐く、止める等の動作を短時間に複数回行った場合、これを信号となる特定の呼吸として用い、弁体３７の開閉動作に基づいてこれを検知するものとする。
【００４３】
例えば、呼吸用保護具１Ａの装着者が、所定の短い時間（例えば１秒以内）に２回連続して面体１１の内部に強く息を吐く呼吸（以下、本明細書において、この呼吸を「ダブルクリック呼吸」と称する。）を検知したときに、呼吸用保護具１Ａは拡声器２４をオンにする場合を考える。
【００４４】
この場合、例えば、図７に示すように、制御部３９には、予め設定された特定の時間帯（例えば１秒以内の時間帯）と、ポイント出力（面体１１の内部の圧力に依存する、予め設定された所定の値のこと。例えば、圧力検知部４１から出力された信号の電圧値）の上限しきい値４３と下限しきい値４４とを検出するように設定されている。
【００４５】
ここで、呼吸用保護具１Ａを装着した装着者が、図６に示す経過時間３秒〜４秒の間にダブルクリック呼吸を行ったとする。制御部３９は、ポイント出力が上限しきい値４３を越えた時点（図７において、約３．３秒の時点）から特定の時間帯、ここでは１秒間を特定時間帯４５とする。そして、この特定時間帯４５内にダブルクリック呼吸が行われたか否かの検知を開始する。ここでは、図７に示す通り、ポイント出力が上限しきい値を上回った（約３．３秒〜３．５秒）上限超過区域４６ののちに下限しきい値４４を下回った（約３．５秒〜３．７秒）下限超過区域４７、さらに上限しきい値４３を上回った（約３．８秒）上限超過区域４８が検知されている。そこで、制御部３９は、これにより、装着者がダブルクリック呼吸を行ったものと判定し、拡声器２４をオンにする。
【００４６】
一方、ポイント出力が上限超過区域４６ののち、特定時間帯４５内に、下限超過区域４７、再度の上限超過区域４８が検知できない場合、制御部３９は拡声器２４をオンにしない。
【００４７】
ここで、特定時間帯４５内に、下限超過区域４７が２回と、上限超過区域４６が１回で、ダブルクリック呼吸がされたと判定するような判定方法であってもよい。また、特定時間帯４５内に、上限超過区域４６や下限超過区域４７が３回以上検知された場合（つまり装着者が３回以上息を吐いた場合）に拡声器２４をオンにする制御としてもよいし、上限超過区域４６や下限超過区域４７におけるポイント出力の増加や減少の状態（つまり、装着者の吐く息の強さの変化の状態）を検知対象に含めてもよい。
【００４８】
なお、拡声器２４等のオンオフ制御を行わせる装着者の呼吸は、通常の呼吸（たとえば、３〜５秒周期でポイント出力が漸増と漸減を繰り返す態様の呼吸）とは異なるものであることが、拡声器２４等の誤動作を防止させる上で望ましい。
【００４９】
また、制御部３９において、複数の呼吸態様を認識させることで、複数の被制御対象の、複数の動作状態を制御させることもできる。さらに、面体１１の内部の内圧の、時間方向の変化を検出するような構成とすることで、より多様な制御対象の、多様な動作状態を制御することもできる。例えば、制御部３９において、所定の時間帯（例えば１秒以内）における、ポイント出力が上限しきい値４３や下限しきい値４４を越えた回数と、越えている時間の時間帯（例えば０．２５秒以上の長い時間帯と０．２５秒未満の短い時間帯）を検知することで、
「短い時間帯２回のダブルクリック呼吸＝拡声器２４のオン制御」
「長い時間帯１回＋短い時間帯１回のダブルクリック呼吸＝拡声器２４のオフ制御」
「長い時間帯２回のダブルクリック呼吸＝電動ファン３０ａのオン制御」
「短い時間帯１回＋長い時間帯１回のダブルクリック呼吸＝電動ファン３０ａのオフ制御」
のように設定する。このようにすれば、装着者がダブルクリック呼吸の態様を変化させるだけで、複数の機器の複数の動作を制御することが可能になる。
【００５０】
以上、この実施の形態においては、圧力検知部４１が、面体１１の内部の内圧が、時間方向や圧力方向に所定のパターンで変化したことを検知したときに、制御部３９が、拡声器２４等の動作状態の切り替え制御を行うことにより、装着者が所定のパターンの呼吸を行えば、それによって拡声器２４等の動作の切り替えが可能になる。即ち、装着者は、マスク本体部１０を顔に装着した状態で、手でスイッチの操作等を行うことなく、一又は複数の被制御対象の、一又は複数の動作状態を制御できる。これにより、拡声器２４等、各種機器のオンオフを任意のタイミングでハンズフリーで行うことができる。
【００５１】
また、この実施の形態においては、制御部３９は、所定の時間帯において内圧の所定の変化が複数回生じたことが検知された場合に、拡声器２４等のオンオフの切り替え制御を行うことにより、装着者が短時間内に吐気や吸気を複数回、所定のパターンで行えば拡声器２４等の動作の切り替えを行うことができる。また、呼気と吐気の回数や間隔を変えることで、複数の被制御対象（例えば拡声器２４と電動ファン３０ａ）や、複数の動作状態の切り替え（例えば拡声器２４と電動ファン３０ａそれぞれのオンオフ制御）を、装着者の呼吸によって簡易かつ確実に行うことができる。
【００５２】
また、この実施の形態においては、制御部３９は、内圧が、上限しきい値４３よりも高い値となった後に下限しきい値４４よりも低い値となる変化、又は、下限しきい値４４よりも低い値となった後に上限しきい値４３よりも高い値となる変化、を圧力検知部４１が検知したときに、拡声器２４等の切り替え制御を行うことにより、内圧が上限しきい値４３と下限しきい値４４よりも大きく変動したときに拡声器２４等の動作状態を切り替えることとなる。即ち、装着者の吐気や呼気によって面体１１の内圧が大きく変化したときにのみ拡声器２４等の動作状態を切り替える。これにより、装着者の呼吸による拡声器２４等の切り替え制御を、誤操作を防止しつつ、確実に行うことができる。
【００５３】
また、圧力検知部４１は、排気弁３５の弁体３７の開閉状態を検知するフォトインタラプタ４０を有して構成されることにより、圧力検知部４１を、長寿命、低コストで、高精度の圧力検知を行えるものとして構成できる。特に、面体１１の内部の内圧の変化を忠実に反映する形状や材質で弁体３７を構成することで、圧力検知を一層高精度に行うことが可能となる。
【００５４】
また、この実施の形態においては、少なくとも装着者の鼻と口部分を密閉する呼吸用保護具１Ａにおいて、装着者が、所望の時間帯に拡声器２４のオン状態を持続させ、電力の浪費を防止しつつ装着者の希望の時間帯において拡声器２４をオン状態として装着者が円滑に他の作業者等と会話による意志伝達を行うことができる。
【００５５】
なお、この実施の形態においては、圧力検知部４１を、フォトインタラプタ４０によって弁体３７の開閉状態を検出する構成としたが、これに限らず、他の多様な構成を圧力検知部４１に用いることができる。具体的には、例えば、排気弁３５の弁体３７を通過する空気の流量を検知する流量センサや、弁体３７を通過する空気の流速を検知する速度センサを圧力検知部４１に用いることもできる。また、感圧導電体等を用いた、内圧の変化を電圧値として出力する圧力センサを面体１１の内部に設ける構成としてもよいし、電動ファン３０ａの回転角センサや回転速度センサが検知した、装着者の吸気や吐気によるファンの回転状態の変化を圧力値として用いてもよい。
【００５６】
また、上記実施の形態においては、いわゆる「呼吸補助型ＰＡＰＲ」において本発明に係る呼吸用保護具１Ａを用いたが、これに限定されず、いわゆる「標準型ＰＡＰＲ」即ち電動ファンを構成に有しないタイプの呼吸用保護具であって、拡声器のような電気機器や、各種被制御対象を備えた構成において、本発明を適用することもできる。
【００５７】
また、上記実施の形態においては、制御部３９による被制御対象を、拡声器２４と電動ファン３０ａのみとしたが、他にも、様々な被制御対象の制御に、本発明を適用することができる。具体的には、以下［応用例１］〜［応用例６］のようなものが考えられる。
【００５８】
［応用例１］
例えば消防現場での消火活動、救助活動において上記実施の形態の呼吸用保護具１Ａを用いる場合、以下［１−１］〜［１−５］のような応用例が考えられる。
［１−１］呼吸用保護具１Ａにカメラを装着し、活動時の映像をリアルタイムで送るとき、記録するときに、装着者の特定の呼吸によりカメラの操作を行う。
［１−２］装着者が、自らの声が拡声されてうるさく感じるときに、装着者の特定の呼吸により拡声器２４のオンオフ操作をする。
［１−３］呼吸用保護具１Ａに無線機を装着する。他の人と話すときに        装着者の特定の呼吸により無線機のオンオフ操作をする。
［１−４］助けを呼ぶ声に耳を澄ませるときに、装着者の特定の呼吸により電動ファン３０ａをＯＦＦにする。
［１−５］呼吸用保護具１Ａにサイレンや回転灯等の警報機を装着する。自らが二次被害にあって動けなくなってしまったときに、装着者の特定の呼吸により警報機を操作する。
【００５９】
［応用例２］
例えば原発の廃炉作業や瓦礫処理作業等において上記実施の形態の呼吸用保護具１Ａを用いる場合、以下［２−１］のような応用例が考えられる。
［２−１］呼吸用保護具１Ａを防護服と共に用い、防護服に送風装置を設ける。防護服内に熱がこもって暑くなったときに、装着者の特定の呼吸により、冷却服の送風装置をＯＮにしたり、風量を調節する制御を行う。
【００６０】
［応用例３］
例えば自衛隊の戦闘活動において上記実施の形態の呼吸用保護具１Ａを用いる場合、以下［３−１］［３−２］のような応用例が考えられる。
［３−１］自らの気配を消すときに、装着者の特定の呼吸により、電動ファン３０ａをオフにする。
［３−２］呼吸用保護具１Ａにカメラを装着し、活動時の映像をリアルタイムで送るとき、記録するときに、装着者の特定の呼吸によりカメラの操作を行う。
【００６１】
［応用例４］
例えば各種の作業現場において、作業強度が異なる作業に切り替えるときに、上記実施の形態の呼吸用保護具１Ａの以下［４−１］〜［４−５］のようなのような応用例が考えられる。
［４−１］呼吸用保護具１Ａを防護服等と共に用い、防護服等に送風装置を設ける。作業強度が変わるとき、装着者の特定の呼吸により、送風モードの切り替えをする。
［４−２］呼吸用保護具１Ａにガス検知器や粉塵計の制御装置を設ける。作業環境内におけるガスや粉塵の曝露濃度を確認したいときに、装着者の特定の呼吸により、ガス検知器や粉塵計の操作をする。
［４−３］呼吸用保護具１Ａに、作業現場の空調設備の制御装置を設ける。作業現場が暑いときや寒いときに、装着者の特定の呼吸により、空調設備の操作をする。
［４−４］呼吸用保護具１Ａに、破過検知装置の制御装置を設ける。作業可能時間の確認をしたいときに、装着者の特定の呼吸により、破過検知装置の操作をする。
［４−５］呼吸用保護具１Ａに、警報音を鳴らす警報装置を設ける。警報音がうるさいときに、装着者の特定の呼吸により、警報音の音量調節をする。
【００６２】
［応用例５］
例えば各種の作業現場において、安全管理の観点で呼吸用保護具１Ａを用いたい場合、  以下［５−１］のような応用例が考えられる。
［５−１］呼吸用保護具１Ａに、ＧＰＳによる位置検出装置、警報装置、心拍管理装置の制御装置等を設ける。作業中に呼吸停止状態になったとき、呼吸用保護具１ＡはＧＰＳで位置情報を送信し、警報装置で異常を管理者に通知し、心拍監視装置の情報を送信する。なお、この場合、特定の呼吸は、所定の期間呼吸による圧力変化が検知されないこと等も含まれる。
【００６３】
［応用例６］
その他に、以下［６−１］〜［６−４］のような応用例も考えられる。
［６−１］呼吸用保護具１Ａに装着された翻訳機のオンオフ制御を行う。
［６−２］呼吸用保護具１Ａの額部分に設けられた前照灯の点灯制御を行う。
［６−３］呼吸用保護具１Ａのアイピース１３に設けられたワイパーの作動及び停止制御を行う。
［６−４］呼吸用保護具１Ａの装着者の所持する空気ボンベからマスク内部への強制吸気を開始させる。
【００６４】
上記実施の形態は本発明の例示であり、本発明が上記実施の形態のみに限定されることを意味するものではないことは、いうまでもない。
【符号の説明】
【００６５】
１Ａ・・・呼吸用保護具（電動ファン付き呼吸用保護具）
１０・・・マスク本体部
１１・・・面体
２４・・・拡声器（被制御手段）
３０ａ・・・電動ファン
３５・・・排気弁
３７・・・弁体
３９・・・制御部（動作制御手段）
４０・・・フォトインタラプタ（圧力検知手段）
４１・・・圧力検知部（圧力検知手段）
４３・・・上限しきい値
４４・・・下限しきい値
【図１】
2015163090.tif 000003
【図２】
2015163090.tif 000004
【図３】
2015163090.tif 000005
【図４】
2015163090.tif 000006
【図５】
2015163090.tif 000007
【図６】
2015163090.tif 000008
【図７】
2015163090.tif 000009